(57)【要約】【課題】複数のグループに割付けられたＬＥＤ器具を点灯制御することができる照明装置及び照明制御システムを提供する。【解決手段】実施形態に係る照明装置Ｌは、光源部７と、自己に割り付けられた第１のグループアドレスを記憶するとともに、他の照明装置に割り付けられた第１のグループアドレスを第２のグループアドレスとして記憶し、第２のグループアドレスに対応する制御情報を記憶する記憶部６と、制御信号を受信する受信部４と、前記受信部で前記第２のグループアドレスを含む制御信号を受信したときに、前記記憶部に記憶された第２のグループアドレスに対応する制御情報に基づいて、前記光源部を点灯制御する制御部とを有する。【選択図】図１
2014192005.tif 000002
【特許請求の範囲】
【請求項１】
光源部と；
自己に割り付けられた第１のグループアドレスを記憶するとともに、他の照明装置に割り付けられた第１のグループアドレスを第２のグループアドレスとして記憶し、第２のグループアドレスに対応する制御情報を記憶する記憶部と；
制御信号を受信する受信部と；
前記受信部で前記第２のグループアドレスを含む制御信号を受信したときに、前記記憶部に記憶された第２のグループアドレスに対応する制御情報に基づいて、前記光源部を点灯制御する制御部と；
を具備したことを特徴とする照明装置。
【請求項２】
前記制御部は、第１のグループアドレスを含む制御信号および第２のグループアドレスを含む制御信号を受信したときは、第１のグループアドレスを含む制御信号による点灯制御を優先することを特徴とする請求項１に記載の照明装置。
【請求項３】
前記記憶部は、第２のグループアドレスを複数記憶し、
前記制御部は、異なる第２のグループアドレスを含む制御信号を受信したときは、第２のグループアドレスに対応する制御情報に基づき、最も出力の大きい点灯制御を行うことを特徴とする請求項１または２に記載の照明装置。
【請求項４】
前記制御部は、第２のグループアドレスを第１のグループアドレスとして制御される他の照明装置の調光度を基に光源部を点灯制御することを特徴とする請求項１ないし３のいずれか一に記載の照明装置。
【請求項５】
前記記憶部は、自己に割り付けられた識別ＩＤを記憶しており、前記受信部を介して自己の識別ＩＤに送信された第１のグループアドレス、第２のグループアドレス、および第２のグループアドレスに対応する制御情報を記憶するように構成されたことを特徴とする請求項１ないし４のいずれか一に記載の照明装置。
【請求項６】
請求項１ないし５のいずれか一に記載の照明装置と；
照明装置に記憶された第１のグループアドレスを含む制御信号を送信する中央制御装置と；
を具備したことを特徴とする照明制御システム。
【発明の詳細な説明】
【技術分野】
【０００１】
本発明の実施形態は、照明装置及び照明制御システムに関する。
【背景技術】
【０００２】
従来、例えば、オフィスビルや各種施設などでは、各フロアや各エリアなどの照明エリア毎に配置される照明器具などの照明負荷を遠隔制御する照明制御システムが採用されている。
【０００３】
この照明制御システムでは、照明制御装置である中央制御装置に伝送ラインを介して複数の照明用機器が通信可能に接続されており、各照明用機器は、中央制御装置からの信号によって制御される。また、中央制御装置と複数の照明用機器とが伝送ラインを介して通信することにより、中央制御装置は照明用機器を統合的に管理することができるようになっている。
【先行技術文献】
【特許文献】
【０００４】
【特許文献１】特開２０１２−９２６５号公報
【発明の概要】
【発明が解決しようとする課題】
【０００５】
しかしながら、従来の照明システムでは、複数の照明負荷をまとめてグループとして制御することができるが、グループが離散的に点灯している等の場合には、グループの端にいる使用者が暗い印象を持ちやすく、使用者を中心に全てのグループを点灯させると無駄な照明負荷を点灯させることになるという問題があった。
【０００６】
実施形態は上述した事情に鑑みてなされたもので、制御対象のグループとその周囲を点灯制御することができる照明装置及び照明制御システムを提供することを目的とする。
【課題を解決するための手段】
【０００７】
実施形態に係る照明装置は、光源部と、自己に割り付けられた第１のグループアドレスを記憶するとともに、他の照明装置に割り付けられた第１のグループアドレスを第２のグループアドレスとして記憶し、第２のグループアドレスに対応する制御情報を記憶する記憶部と、制御信号を受信する受信部と、前記受信部で前記第２のグループアドレスを含む制御信号を受信したときに、前記記憶部に記憶された第２のグループアドレスに対応する制御情報に基づいて、前記光源部を点灯制御する制御部とを有する。
【発明の効果】
【０００８】
実施形態によれば、複数のグループに割付けられたＬＥＤ器具の色温度を違和感なく点灯制御することができる照明制御システムを実現することができる。
【図面の簡単な説明】
【０００９】
【図１】本実施形態に係る照明制御システムの全体構成を示す構成図である。
【図２】ＲＯＭ１０に記憶されている割り付け情報テーブル１１の例を説明するための説明図である。
【図３】照明装置の構成を示すブロック図である。
【図４】天井面に配設された複数のＬＥＤ器具Ｌの一部のレイアウトの一例を示す平面図である。
【図５】天井面に配設された複数のＬＥＤ器具Ｌの一部のレイアウトの他の例を示す平面図である。
【図６】設定情報テーブル１２の例を説明するための説明図である。
【図７】照明装置の制御部における点灯制御の例を示すフローチャートである。
【図８】照明装置の制御部における点灯制御の例を示すフローチャートである。
【発明を実施するための形態】
【００１０】
以下、図面を参照して本実施形態を詳細に説明する。  
図１は、本実施形態に係る照明制御システム１の全体構成を示す構成図である。  
【００１１】
図１に示す照明制御システム１は、例えば、オフィスビルや各種施設などの各フロアや各エリアなどの照明エリア毎に設置される照明器具を遠隔制御する中央制御装置２を有している。
この中央制御装置２には、伝送ライン３を介して後述する調光可能な照明装置を構成する複数のＬＥＤ器具Ｌ１〜Ｌ１８が接続される。
【００１２】
なお、本実施の形態では、照明装置として、調光可能なＬＥＤ器具Ｌ１〜Ｌ１８を用いて説明するが、さらに、色温度を変更可能な照明器具であってもよい。また、ＬＥＤ器具Ｌ１〜Ｌ１８に代わり、色温度を変更可能な有機発光ダイオード（Organic Light Emitting Diode：以下、ＯＬＥＤと記載）などの光源を用いたＯＬＥＤ器具であってもよい。
これら複数のＬＥＤ器具Ｌは、伝送ライン３を介して中央制御装置２によって制御される。すなわち、中央制御装置２は、本システムを統括的に制御する。
【００１３】
複数のＬＥＤ器具Ｌ１〜Ｌ１８は、それぞれ所定のグループに割り付けられている。この割り付け情報は、中央制御装置２のＲＯＭ１０にテーブルとして記憶されている。  
図２は、ＲＯＭ１０に記憶されている割り付け情報テーブル１１の例を説明するための説明図である。
【００１４】
図２に示すように、グループＧ１には、ＬＥＤ器具Ｌ１〜Ｌ４が割り付けられ、グループＧ２には、ＬＥＤ器具Ｌ５〜Ｌ８が割り付けられ、グループＧ３には、ＬＥＤ器具Ｌ９〜Ｌ１２が割り付けられ、Ｇ４にはＬＥＤ器具Ｌ１３〜Ｌ１６が割り付けられている。なお、Ｇ５以降も同様に４つのＬＥＤ器具を１つのグループとして設定しているが図示は省略する。
【００１５】
なお、各グループに割り付けられるＬＥＤ器具Ｌの個数は、４個に限定されることなく、他の個数のＬＥＤ器具Ｌが割り付けられていてもよい。また、各グループに異なる個数のＬＥＤ器具Ｌが割り付けられていてもよい。
【００１６】
図３は、ＬＥＤ器具Ｌの構成を示すブロック図である。ＬＥＤ器具Ｌは、伝送ライン３を介して中央制御装置２と通信するための受信部としての通信部４、制御部５、記憶部６、光源部７、電源部８を有している。制御部５は光源部７を調光あるいは点消灯制御するとともに、伝送ライン３を介して伝送された制御情報および自己の制御状態を記憶部６に記憶し、また記憶部６から情報を読み出すことができる。光源部７は、例えばＬＥＤであり、これによって照明エリアを照射することができる。
【００１７】
図４は、天井に設置された複数のＬＥＤ器具Ｌを模式的に表した図あり、一つの四角が一つのＬＥＤ器具を示し、四角の中に記載された数字１〜１２は各ＬＥＤ器具Ｌに割り付けられたグループアドレスを示している。
すなわち、図４には計４８台のＬＥＤ器具Ｌが、４台がまとめて１グループとして設定され、Ｇ１〜Ｇ１２までの１２グループに分けられている。
【００１８】
そして、本実施形態では一つのグループＧが点灯制御されたときに、同グループに含まれるＬＥＤ器具Ｌは同内容で制御されるとともに、この制御された各グループＧの周囲を囲むＬＥＤ器具Ｌも点灯制御される。
つまり、１つのグループＧ自体は４台のＬＥＤ器具Ｌで構成されるが、実際に制御されるＬＥＤ器具Ｌは４台以上となる。
【００１９】
例えば、図４では点灯制御されているグループが網掛けで示され、このグループの周囲で点灯するＬＥＤ器具は斜線で示されている。このように、Ｇ６が点灯制御されている場合には、Ｇ６に隣接する８つのグループであるＧ１、Ｇ２、Ｇ３，Ｇ５、Ｇ７、Ｇ９、Ｇ１０、Ｇ１１のうちＧ６に隣接するＬＥＤ器具Ｌのみが点灯制御される。
【００２０】
ここで、Ｇ６の周囲で点灯制御されるＬＥＤ器具Ｌは、Ｇ６のＬＥＤ器具よりも低い照度で点灯制御されることが好ましい。これによって、所望のグループを点灯制御したときに、当該グループのＬＥＤ器具Ｌによって照明される照明領域に滞在しているユーザの明るさ感が向上し、孤立感が低下する。ここで、明るさ感とは、空間を明るいと認識する度合をいい、主観評価あるいは目に入る間接光による照度から定量的に測定することができる。
【００２１】
図６は、ＬＥＤ器具Ｌの記憶部６に記憶された、設定情報テーブル１２の一例である。ここでは、図４においてＧ６として設定されたＬＥＤ器具ＬのうちＧ７、Ｇ１０、Ｇ１１に隣接するＬＥＤ器具Ｌ１台について説明する。図６に示すように、設定情報テーブル１２には、各ＬＥＤ器具に設定された自己の識別ＩＤとしての自己のＩＤ、自己に割り付けられた第１のグループアドレスとしての自己グループ、第２のグループアドレスとしての周囲グループが設定されている。本実施形態では、周囲グループとして最大８個設定することができるが、それ以上設定できるようにしてもよい。なお、説明上は周囲グループとしてＧ７、Ｇ１０、Ｇ１１の３個が設定されている。また、自己グループ、周囲グループには制御情報として調光度、比率が設定されている。なお、他のＬＥＤ器具もそれぞれ自己グループと周囲グループが設定されており、例えば図５において斜線で示される１０台のＬＥＤ器具Ｌは周囲グループとしてＧ６が設定されている。
まず、初期状態において、各ＬＥＤ器具Ｌは自己のＩＤのみが記憶部６に記憶されている。
【００２２】
次に、中央制御装置２から設定情報テーブル１２が自己のＩＤ宛てに送信されると、各ＬＥＤ器具Ｌは自己のＩＤを含む設定情報テ−ブル１２を記憶部６に記憶する。ここで、各ＬＥＤ器具は隣接するグループが異なるため、中央制御装置２はＬＥＤ器具Ｌの数に相当する設定情報テーブル１２を送信する必要がある。全てのＬＥＤ器具Ｌは周囲グループに対する制御情報として、同じ調光度、比率であってもよいし、ＬＥＤ器具毎に異なる制御情報であってもよい。
【００２３】
さらに、この設定情報テーブル１２の運用プログラムが、中央制御装置２から送信されて各ＬＥＤ器具Ｌに記憶される。この運用プログラムは一斉に送信されてもよいし、個別に送信されてもよい。個別に送信される場合は設定情報テーブルとともに中央制御装置２から送信され、ＬＥＤ器具Ｌの記憶部６に記憶される。
【００２４】
中央制御装置２から例えばＧ６を含む制御信号が送信されると、自己グループとしてＧ６が割り付けられているＬＥＤ器具Ｌが設定情報テーブル１２に基づいて、例えば、予め設定された調光度７０％で点灯する。
【００２５】
さらに、Ｇ６の周囲に配設されて斜線で示される１０台のＬＥＤ器具は、周囲グループとしてＧ６が設定されている。これら斜線で示されたＬＥＤ器具ＬはＧ６を含む制御信号を受信したときは、周囲グループのＧ６に対応する制御情報から調光度を読み出して光源部を点灯制御する。例えば、斜線で示されるＬＥＤ器具も設定情報テーブル１２と同様に周囲グループに対して調光度３０％が設定されていたとすると、３０％で点灯する。また、中央制御装置２からＧ６が８０％で点灯するような制御信号が送信された場合には、Ｇ６を自己グループとして設定しているＬＥＤ器具は設定情報テーブル１２から比率１を選択し、８０％で点灯する。一方、Ｇ６を周囲アドレスとして設定したＬＥＤ器具Ｌは８０％に制御情報として記憶された比率をかけた値で制御を行う。例えば、周囲グループとして設定されたＧ６に対応して比率０．５が設定されていたとすると４０％の調光度で点灯することになる。
【００２６】
図５は、図４の点灯状態からさらに、Ｇ１１が点灯制御された状態を示している。ここでは、Ｇ７、Ｇ８、Ｇ１０，Ｇ１２のうちＧ１１に隣接し、斜線で示されるＬＥＤ器具Ｌが周囲グループとしてさらに点灯している。ここで、Ｇ６のうち右下に配置されたＬＥＤ器具ＬおよびＧ１１のうち左上に配置されたＬＥＤ器具Ｌはともに自己グループとして点灯するとともに、周囲グループとしても点灯することになる。このような場合、ＬＥＤ器具Ｌの制御部５は自己グループの制御情報を優先して点灯制御するようにする。なお、自己グループの制御情報が消灯である場合には周囲グループの点灯を優先する。
【００２７】
また、Ｇ７のうち右上に配置されたＬＥＤ器具ＬおよびＧ１０のうち左下に配置されたＬＥＤ器具ＬはＧ６、Ｇ１１が周囲グループとして設定されている。このような場合に、Ｇ６とＧ１１が周囲グループの制御情報として異なる調光度または比率が設定されたいた場合には、調光度が大きい、すなわち出力が大きい制御情報を優先して点灯制御する。
【００２８】
このように、本実施形態では、省エネルギーを実現しつつ、明るさ感を向上させ、孤立感を抑制した照明環境を実現することができる。また、中央制御装置２から制御対象となるグループアドレスを含む制御信号を送信するだけで、複雑なグラデーション制御を行うことができる。つまり、一旦全てのＬＥＤ器具Ｌに設定情報テーブル１２を設定した後は、中央制御装置２は自身のＲＯＭ１０に設定されたグループに対して制御を行うだけでよいので、全ての制御情報を中央制御装置２から送信する場合に比べ、通信網が混雑することがなく、中央制御装置２への設定作業、制御内容も簡単化することができる。特に、複数のグループに対して制御しているときに、各グループの周囲グループ間の優先制御を行う場合に各ＬＥＤ器具の状態を中央制御装置２が把握した上で制御を行う必要がない。
【００２９】
次に、本実施の形態の照明装置の作用について図７、図８を用いて説明する。図７、図８は、ＬＥＤ器具Ｌの制御部５における点灯制御のフローチャートである。
【００３０】
ＬＥＤ器具Ｌの制御部５は、記憶部６から処理を実行するプログラムを読み出して実行する。なお、このプログラムは、例えば、中央制御装置２から制御信号を受信した際に実行されるプログラムである。
【００３１】
すなわち、制御部５は制御信号を受信したときに、ステップＳ１の処理により、制御信号に自己のグループアドレスが含まれるか否かを判定し、自己のグループアドレスが含まれる場合にはステップＳ２の処理に移行する。
【００３２】
ステップＳ２の処理では、制御信号に含まる制御情報又は記憶部６に記憶された制御情報に従って、つまり自己グループに対応する制御情報で点灯制御を行い、フローを終了する。
【００３３】
ステップＳ１の処理で、自己のグループアドレスが含まれないと判断した場合には、ステップＳ３の処理に移行する。ステップＳ３の処理では、制御信号に周囲グループが含まれるか否かを判定する。周囲グループが含まれない場合にはステップＳ１に戻り、周囲グループが含まれると判断した場合にはステップＳ４の処理に移行する。
【００３４】
ステップＳ４の処理では、自己グループとして点灯制御がされているか否かを判定し、点灯制御されている場合にはステップＳ１に戻り、自己グループとして点灯制御していない場合には、ステップＳ５の処理に移行する。
【００３５】
ステップＳ５の処理では、周囲グループとして点灯制御がされているか否かを判定し、点灯制御されている場合には（１）へ移行し、周囲グループとして点灯制御していない場合には、ステップＳ６の処理に移行する。
【００３６】
ステップＳ６の処理では、制御信号に調光度の指示が含まれるか否かを判断し、調光度の指示が含まれる場合には、ステップＳ７の処理に移行する。ステップＳ７では、記憶部６に記憶された制御情報から周囲グループアドレスに対応する比率を読み出し、制御情報に含まれる調光度に読み出した比率を積算し周囲グループとしての調光度を算出し、算出した調光度で点灯制御しフローを終了する。
【００３７】
一方、ステップＳ６の処理で、制御信号に調光度が含まれないと判断したときはステップＳ８の処理に移行し、記憶部６に記憶された制御情報から周囲グループアドレスに対応する調光度を読み出し、読み出した調光度で点灯制御を行いフローを終了する。
次に、ステップＳ５で、既に周囲グループとして点灯していると判定した場合に（１）へ移行した後のフローについて図８を用いて説明する。
【００３８】
このフローは、複数の周囲グループとして設定されている場合に異なる調光度で点灯制御することになった場合に、より調光度の高い状態を優先して点灯制御するためのフローである。
【００３９】
ステップＳ９の処理では、制御信号に調光度の指示が含まれるか否かを判断し、調光度の指示が含まれる場合には、ステップＳ１０の処理に移行する。ステップＳ１０では、記憶部６に記憶された制御情報から周囲グループアドレスに対応する比率を読み出し、制御情報に含まれる調光度に読み出した比率を積算し周囲グループとしての調光度を算出し、ステップＳ１２の処理に移行する。
【００４０】
一方、ステップＳ９の処理で、制御信号に調光度が含まれないと判断したときはステップＳ１１の処理に移行し、記憶部６に記憶された制御情報から周囲グループアドレスに対応する調光度を読み出し、ステップＳ１２の処理に移行する。
【００４１】
ステップＳ１２の処理では、現在の調光度とステップＳ１０またはステップＳ１１の処理で算出し、または読み出した調光度と比較を行い、現調光度よりも大きいと判定した場合にはステップＳ１３へ処理を移行し、ステップＳ１２で算出した調光度で点灯制御する。
一方、ステップＳ１２の処理で、現調光度よりも小さいと判定した場合には（２）へ移行し図７のステップＳ１の処理に戻る。
【００４２】
以上のように、照明装置Ｌおよび照明制御システム１は、照明装置に自己のグループアドレスと周囲のグループアドレスとを記憶するとともに、他の照明装置に対して送信された制御信号を自己の点灯制御に反映させることによって、細かなグラデーション制御を行うことができる。また、照明装置側に自己グループと周囲グループ設定するので、中央制御装置２に複雑な設定および制御を行わせる必要がなく、伝送ライン３を混雑させることがない。つまり、中央制御装置２としては、単に設定されたグループを点灯制御するだけでグラデーション制御が実現できる。
【００４３】
なお、本明細書におけるフローチャート中の各ステップは、その性質に反しない限り、実行順序を変更し、複数同時に実行し、あるいは実行毎に異なった順序で実行してもよい。
【００４４】
本発明のいくつかの実施形態を説明したが、これらの実施形態は、例として例示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると共に、特許請求の範囲に記載された発明とその均等の範囲に含まれる。
【符号の説明】
【００４５】
１…照明制御システム、２…中央制御装置、４…受信部、５…制御部、６…記憶部、１２…設定情報テーブル、Ｌ…ＬＥＤ器具。
【図１】
2014192005.tif 000003
【図２】
2014192005.tif 000004
【図３】
2014192005.tif 000005
【図４】
2014192005.tif 000006
【図５】
2014192005.tif 000007
【図６】
2014192005.tif 000008
【図７】
2014192005.tif 000009
【図８】
2014192005.tif 000010